(57)【要約】  橈骨処置のための患者の肢の固定を容易にすると共に患者の体の位置の変更に対応した橈骨アクセスの方法及び装置が記載される。橈骨台アセンブリは、通常は、患者の肢を支持する大きさに形成された表面を画定する支持台、この支持台の遠位端部に取り付けられた接合部分であって、放射線透過性であり、かつこの支持台から一定距離延びている、接合部分、及びこの接合部分に近接した位置で支持台に回動可能に接続されたクレードル部材を含み得る。他のバリエーションでは、接合部分は、傾斜縁が支持台に対して逆向きになるようにこの支持台に対して構成を変更可能である。【選択図】      図２Ａ
2016509519.tif 000002
【特許請求の範囲】
【請求項１】
台アセンブリであって：
患者の肢を支持する大きさに形成された表面を画定する支持台；
前記支持台の遠位端部に取り付けられた接合部分であって、放射線透過性であり、かつ前記支持台から一定距離延びている、接合部分；及び
前記接合部分に近接した位置で前記支持台に回動可能に接続されたクレードル部材を含む、アセンブリ。
【請求項２】
前記接合部分が、前記支持台に対して回動調整可能である、請求項１に記載のアセンブリ。
【請求項３】
前記接合部分が、前記支持台に対して傾斜した縁を画定し、この傾斜縁が追加の支持台に配置可能である、請求項１に記載のアセンブリ。
【請求項４】
前記接合部分が、その下で他に接触せずにイメージング装置を収容できる距離まで延びている、請求項１に記載のアセンブリ。
【請求項５】
前記クレードル部材が、患者の肢を受容して支持するように構成された、請求項１に記載のアセンブリ。
【請求項６】
前記クレードル部材を前記支持台に固定するように構成された接続接合部；及び
前記接続接合部から前記クレードル部材まで回動可能に延びた支持アームをさらに含む、請求項５に記載のアセンブリ。
【請求項７】
前記接合部分及び／又は前記支持台から延びた放射線不透過性障壁をさらに含む、請求項１に記載のアセンブリ。
【請求項８】
台アセンブリであって：
患者の肢を支持する大きさに形成された表面を画定する支持台；
前記支持台の遠位端部に取り付けられた接合部分を含み、
前記接合部分が、放射線透過性であり、前記支持台から一定距離延びており、かつ
傾斜縁が前記支持台に対して逆向きになるように、前記接合部分が前記支持台に対して構成を変更可能である、アセンブリ。
【請求項９】
前記接合部分が、前記支持台に対して傾斜した縁を画定し、この傾斜縁が追加の支持台に配置可能である、請求項８に記載のアセンブリ。
【請求項１０】
前記接合部分が、その下で他に接触せずにイメージング装置を収容できる距離まで延びている、請求項８に記載のアセンブリ。
【請求項１１】
患者の肢を受容して支持するように構成され、前記接合部に近接した位置で前記支持台に回動可能に接続された、クレードル部材をさらに含む、請求項８に記載のアセンブリ。
【請求項１２】
前記クレードル部材を前記支持台に固定するように構成された接続接合部；及び
前記接続接合部から前記クレードル部材まで回動可能に延びた支持アームをさらに含む、請求項１１に記載のアセンブリ。
【請求項１３】
前記接合部分及び／又は前記支持台から延びた放射線不透過性障壁をさらに含む、請求項８に記載のアセンブリ。
【請求項１４】
支持アセンブリであって：
患者の肢を受容して支持するように構成されたクレードル部材；
前記アセンブリを第１の支持台に回動可能に固定するように構成された接続接合部；及び
前記接続接合部から回動可能に延びた、前記クレードル部材に回動可能に連結された支持アームを含み、
前記クレードル部材の位置及び向きが、第２の支持台の位置及び向きに応じて変わる、支持アセンブリ。
【請求項１５】
前記クレードル部材の位置及び向きが、前記第１の支持台と前記第２の支持台との間に延在する該肢による前記第２の支持台の位置及び向きに応じて変わる、請求項１４に記載のアセンブリ。
【請求項１６】
前記接続接合部と前記支持アームの近位端部との間に回動可能に連結された第１のピボット；及び
前記クレードル部材と前記支持アームの遠位端部との間に回動可能に連結された第２のピボットをさらに含む、請求項１４に記載のアセンブリ。
【請求項１７】
前記支持台の遠位端部に取り付けられた接続接合部をさらに含み、前記接続接合部が、放射線透過性であり、かつ前記支持台から一定距離延びている、請求項１４に記載のアセンブリ。
【請求項１８】
前記接続接合部が、前記支持台に対して回動調整可能である、請求項１７に記載のアセンブリ。
【請求項１９】
前記接続接合部が、前記支持台に対して傾斜した縁を画定し、この傾斜縁が、第２の支持台に配置可能である、請求項１７に記載のアセンブリ。
【請求項２０】
前記接続接合部が、その下で他に接触せずにイメージング装置を収容できる距離まで延びている、請求項１７に記載のアセンブリ。
【請求項２１】
前記接合部分及び／又は前記支持台から延びた放射線不透過性障壁をさらに含む、請求項１７に記載のアセンブリ。
【請求項２２】
患者の体の位置を合わせる方法であって：
前記患者の体の肢を支持する大きさに形成され、第１の支持台に移動可能に取り付けられたクレードル部材に前記肢の位置を合わせるステップ；
前記患者の体が乗せられた第２の支持台を移動させるステップであって、前記第２の支持台が前記第１の支持台に近接している、ステップ；及び
前記クレードル部材の位置又は向きが、前記肢の位置が前記クレードル部材に合わせられたときの前記第２の支持台の位置又は向きに応じて変わるように、前記クレードル部材を、前記第２の支持台の動きに対応するように前記第１の支持台に対して移動させるステップを含む、方法。
【請求項２３】
前記第２の支持台を動かしながら、前記体を画像装置によって画像化するステップをさらに含む、請求項２２に記載の方法。
【請求項２４】
前記クレードル部材を移動させるステップの前に前記肢の一部の下の放射線透過性接合部分の位置を合わせるステップであって、前記接合部分が前記第１の支持台の遠位端部に取り付けられている、ステップをさらに含む、請求項２２に記載の方法。
【請求項２５】
前記クレードル部材を移動させるステップが、前記第１の支持台の固定位置を維持するステップをさらに含む、請求項２２に記載の方法。
【請求項２６】
前記第２の支持台を移動させるステップが、前記クレードル部材を、前記第１の支持台の遠位端部に回動可能に取り付けられた接続接合部によって前記第１の支持台に対して回動させるステップを含む、請求項２２に記載の方法。
【請求項２７】
前記接続接合部から前記クレードル部材まで回動可能に延びた支持アームによって前記クレードル部材を前記第１の支持台に対して回動させるステップをさらに含む、請求項２６に記載の方法。
【発明の詳細な説明】
【技術分野】
【０００１】
（関連出願の相互参照）
本出願は、それぞれ参照によりそれらの全開示内容が本明細書に組み入れられる２０１３年２月７日出願の米国仮特許出願第６１／８５０，０９７号明細書及び２０１３年１１月４日出願の同第６１／９６２，２６２号明細書の優先権の利益を主張するものである。
【０００２】
本発明は、橈骨アクセス処置を容易にする方法及び装置に関する。詳細には、本発明は、患者の体の位置を変更する必要がある又は体の位置を変更するのが望ましい場合に、橈骨アクセス処置を容易にする方法及び装置に関する。
【背景技術】
【０００３】
心臓カテーテル処置は、通常は、患者の心臓にアクセスするために主幹動脈、例えば、大腿動脈に通されるカテーテルを利用する。しかしながら、血管内及び心臓系へのアクセスは、橈骨動脈に通しても達成することができ、通常はより便利であると考えられ、しかも処置の時間を短縮し、かつ処置中の合併症のリスクも低減することができる。しかしながら、心臓カテーテル処置は、しばしば、ガイドワイヤ、血管内バルーン、ステントなどを含む様々な外科器具の使用を必要とする。
【０００４】
さらに、イメージングシステム、例えば、透視装置又は他のイメージング装置が、典型的には心臓カテーテル処置の最中に利用される。これらの装置のサイズ及び重量により、患者の体内の様々な組織領域のイメージングでは、しばしば、イメージングシステムに対して体の位置を変更する必要がある。これにより、患者の体を物理的に移動させる必要がある。しかしながら、橈骨アクセス処置中に使用される器具の数により、患者の体の位置を変更することは困難であり、面倒である。
【０００５】
従来のデバイスは、橈骨アクセスを容易にするために開発されたものである。このようなデバイスは、患者が乗せられる支持台から延びたボード又は表面の使用を含む。このようなボードは、典型的には、橈骨アクセスを行う際に患者の肢、例えば、腕を支持して体から伸ばすために支持台に留める又は他の方法で固定される。しかしながら、このようなボードは、外科手術の現場で使用するのは面倒であり、器具を配置できる安定した支持台を提供することができない。
【０００６】
他のデバイスは、カテーテル検査台又は別個の支持構造に留めることができるピボットアーム又は関節アームによって支持されるアームボード又は支持台の使用を含む。このようなピボットアーム又は関節アームは、橈骨処置のために患者の腕を支持することができるが、これらのデバイスは、器具用の安定した支持台を未だ実現することができず、しかもイメージングシステムに対して患者の体を移動させる又は位置を変更する必要性に対処することもできない。
【発明の概要】
【発明が解決しようとする課題】
【０００７】
従って、橈骨アクセス用の様々な器具を支持することができ、かつ橈骨アクセス処置中に患者の体の位置の変更を容易にする方法及びデバイスが必要とされている。
【課題を解決するための手段】
【０００８】
例えば、介入処置のために橈骨血管にアクセスする際は、患者の肢、例えば、腕の位置が、通常は、手首が伸びて橈骨静脈が露出するように合わせられる。橈骨処置のための患者の肢の固定を容易にすると共に患者の体の位置の変更に対応するために、記載される橈骨台アセンブリを利用することができる。橈骨台アセンブリは、通常は、患者の肢を支持する大きさに形成された表面を画定する支持台、この支持台の遠位端部に取り付けられた接合部分であって、放射線透過性であり、かつこの支持台から一定距離延びている、接合部分、及びこの接合部分に近接した位置で支持台に回動可能に接続されたクレードル部材を含み得る。他のバリエーションでは、接合部分は、傾斜縁が支持台に対して逆向きになるようにこの支持台に対して構成を変更可能である。
【０００９】
クレードルアセンブリ自体は、通常は、患者の肢を受容して支持するように構成されたクレードル部材、このアセンブリを第１の支持台に回動可能に固定するように構成された接続接合部、及びこの接続接合部から回動可能に延びて、クレードル部材に回動可能に連結された支持アームから構成することができ、クレードル部材の位置及び向きは、第２の支持台の位置及び向きに応じて変わる。
【００１０】
使用の際、橈骨台アセンブリに対して患者の体の位置を合わせる１つの方法は、患者の体の肢を支持する大きさに形成され、第１の支持台に移動可能に取り付けられたクレードル部材にこの肢の位置を合わせるステップ、患者の体が乗せられた第２の支持台を移動させるステップであって、この第２の支持台が第１の支持台に近接している、ステップ、及びクレードル部材の位置又は向きが、肢の位置がこのクレードル部材に合わせられたときの第２の支持台の位置又は向きに応じて変わるように、クレードル部材を、第２の支持台の動きに対応するように第１の支持台に対して移動させるステップを通常は含み得る
【００１１】
橈骨台アセンブリの一例は、１つ以上の脚によって支持された後方台、この後方台から延びた橈骨台部分、及びこの橈骨台部分から、例えば、片持ち式にさらに延びた接合部分を通常は含み得る。この接合部分は、傾斜縁を画定することができ、この傾斜縁により、台アセンブリをカテーテル検査台に対して極めて近接して又は隣接して所定の角度で相対的に配置することができ、これにより、患者の肢（例えば、腕）を台に乗せられた患者の体から伸ばすことができる支持台が得られる。この台アセンブリにより、外科医及び開業医が、橈骨動脈を介して処置、例えば、血管造影、経皮的介入などを容易にする楽なやり方で行うことができる。
【００１２】
後方台は、手術台又は支持台を含むことができ、橈骨台部分は、任意選択でヒンジ結合される接合部又はピボット接合部に沿って後方台の遠位縁に取り付けることができ、例えば、４０．４８〜２１．９２ｃｍ（１２〜４８インチ）以上の幅、及び、例えば、最大５０．８ｃｍ（２０インチ）以上の長さを有する。接合部分は、同様に、任意選択でヒンジ結合される接合部又はピボット接合部に沿って橈骨台部分の遠位端部に固定することができ、橈骨台部分と同様の幅を有することができる。接合部分は、一定距離延びて、その傾斜縁の遠位端部で終端することができ、この傾斜縁は、台アセンブリの長さ方向に対して、例えば、１０度〜最大９０度（又は特に４５〜５５度）の範囲の任意の角度を有することができる。後方台及び橈骨台部分はそれぞれ、放射線不透過性である様々な材料、例えば、ステンレス鋼から構成することができ、接合部分は、任意選択で抗菌性である又は殺菌することができる放射線透過性材料、例えば、様々なポリカーボネート材料、例えば、Ｌｅｘａｎ（登録商標）（ＳＡＢＩＣ  Ｉｎｎｏｖａｔｉｖｅ  Ｐｌａｓｔｉｃｓ）、超高分子量ポリエチレン（ＵＨＭＷ）などから構成することができる。接合部分を放射線透過性材料から構成することにより、イメージング装置、例えば、透視装置（又はその他の適切なイメージング装置）が、必要に応じて、患者の肢の近位上部を透過して画像化することができる。
【００１３】
クレードルアセンブリは、接続接合部のいずれか１つの中に入れて、橈骨台アセンブリに回動可能に取り付けることができ、これらの接続接合部は、例えば、橈骨台部分の近位縁に沿って整合させることができる。クレードルアセンブリは、任意選択で、カテーテル検査台に沿った患者の体の位置によって決まる接続接合部のいずれか１つの中に配置することができる。クレードルアセンブリ自体は、通常は、例えば、最大２５．４ｃｍ（１０インチ）以上の長さ及び、１５．２４ｃｍ（６インチ）以上の幅を有するクレードル部材を含むことができ、このクレードル部材は、患者の手首、前腕、及び手を楽に受容する凹部を画定するように構成されている。任意選択の近位クレードル部材は、必要に応じて又は所望に応じて、患者の上腕を支持するために、クレードル部材から延長アームを介して調整可能に伸ばすことができる。クレードル部材及び任意選択の近位クレードル部材はそれぞれ、同様に所望に応じて、患者の前腕及び手の画像化をさらに可能にするために、放射線不透過性材料（例えば、ステンレス鋼）又は放射線透過性材料（例えば、ポリカーボネート）のいずれかから形成することができる。
【００１４】
クレードルアセンブリは、２つの回動点又は関節点を画定することができ、この２つの回動点又は関節点により、クレードルアセンブリを接続接合部に連結する支持アームに対するクレードル部材の回動が可能となり、かつ接続接合部及び橈骨台に対する支持アームの回動も可能となる。患者の体がカテーテル検査台に乗せられた状態で、肢及び特に手及び手首を伸ばしてクレードル部材上に固定して、任意選択で患者の指をクレードル部材の遠位端部に固定して手首を伸ばすことができる。肢を固定して、また任意選択でもたれた状態で、様々な経皮アクセス又は外科処置によって橈骨動脈に容易にアクセスすることができる。様々な器具又は介入具を、橈骨台部分及び／又は後方台に乗せる又は広げることができ、その状態で、外科医及び／又は開業医が、カテーテル検査台又は手術台と橈骨台アセンブリとの間に入ることができる。
【００１５】
しかしながら、患者の体及び検査台の上及び下に配置されたイメージング装置に対してこの患者の体の位置を変更する必要がある場合は、肢をクレードル部材に固定したまま、検査台をその長さ又は幅のいずれかに沿って移動させることができる。従って、患者の体がイメージング装置に対して及び橈骨台アセンブリに対して移動するときに、外科医又は開業医の邪魔にならずに、クレードル部材（及びこのクレードル部材に乗せられた手及び手首）の支持アームに対する回動及びこの支持アームの橈骨台部分に対する回動によって、患者の肢も、患者の体の位置の変更に対応するように位置が変更され得る。クレードル部材及び支持アームの橈骨台に対するこれらの２つの回動点により、全３６０度の運動が可能となり得る。あるいは、クレードル部材及び支持アームの一方又は両方の橈骨台部分に対する回動は、所望に応じて、指定の範囲内の回動に限定しても良い。いずれの場合も、患者の体がイメージング装置及び／又は橈骨台アセンブリに対してどのように移動しても、患者の肢の向きが、患者の体に対して自動的に維持され得るため、患者の肢から延びて後方台に乗せられたどの器具又は道具も、患者の体の動きに対応するように動かすのではなく放置することができる。
【００１６】
橈骨台アセンブリは、様々なイメージング装置を用いて利用することができるため、このアセンブリは、イメージングシステム、例えば、透視装置を収容するように設計することができる。このようなシステムは、典型的にはＣアームを利用し、このＣアームは、その両端部に互いに相対して配置された検出器及びＸ線放射装置を有する。イメージングシステムは、通常は、検査台及び橈骨台アセンブリに対して固定されているが、Ｃアームは、様々な角度で、下に位置する患者の体の画像を得るために回動調整可能とすることができる。イメージングシステムのこのような動きに対応するために、橈骨台アセンブリは、橈骨台部分及び接合部分を有するように構成することができ、この接合部分は、後方台から一定の距離、例えば、３０．４８ｃｍ（１フィート）から数百ｃｍ（数フィート）（又は特に１５２．４〜１８２．８８ｃｍ（５〜６フィート））の任意の距離、片持ち式に延びて、放射装置（又はその他の器具）がこのアセンブリの下に配置されるときにこの台の下に十分なクリアランス距離が画定される。この片持ち機構は、本明細書に図示又は記載される台アセンブリの様々な実施形態のいずれにも採用することができる。橈骨台アセンブリに対する寸法及び大きさは、例示的な例として示され、所望に応じて様々な患者に適合させるために変更又はカスタマイズすることができる。
【００１７】
接合部分は、傾斜縁を画定するため、橈骨台部分に調整可能に取り付けることができる。なお別の特徴は、その接合部に沿って後方台に対して折り曲げられる橈骨台部分を含み得る。橈骨台の他のバリエーションは、傾斜縁に沿って整合された１つ以上の固定機構（例えば、クランプなど）によって橈骨台をカテーテル検査台に直接的に固定する又は留めることができる実施形態も含み得る。しかしながら、他のバリエーションは、別個の後方台に取り付けることができる橈骨台アセンブリを含む。
【００１８】
追加の特徴及び／又は補助具を組み合わせて使用することができる。例えば、放射線シールドを、橈骨台の縁に沿って取り付けることができる。この放射線シールドを、外科医又は開業医に近い台アセンブリの任意の縁に沿って取り付けて、典型的には患者の体を映像化するために使用されるイメージング装置によって放射され得る、例えば、Ｘ線からさらに保護することができる。他の特徴は、クレードル部材に沿って使用されるように構成及び形成された１つ以上のクッション支持体を含むことができ、このクッション支持体は、橈骨台アセンブリに設けても良いし、又は別個としても良い。加えて、台アセンブリもしくは様々な器具と共に使用されるように構成された外科ドレープ、又は後方台もしくは橈骨台に配置可能なディスプレイを、所望に応じて設けることもできる。これらの補助具の全て又はいずれか１つを、橈骨台アセンブリと共にキットに含めて提供しても良いし、又は別個に提供しても良い。
【図面の簡単な説明】
【００１９】
【図１】図１は、患者支持台に近接して配置され、患者の腕用の回動可能な支持アセンブリを有する橈骨アクセス台の１つのバリエーションの斜視図を示している。
【００２０】
【図２Ａ】図２Ａは、橈骨アクセス台に回動可能に取り付けられた支持アセンブリの別のバリエーションを例示している。
【図２Ｂ】図２Ｂは、橈骨アクセス台に回動可能に取り付けられた支持アセンブリの別のバリエーションを例示している。
【００２１】
【図３Ａ】図３Ａは、支持アセンブリに支持され、カテーテル検査台から延びた患者の腕の斜視図を示し、どのようにして患者の腕が、カテーテル検査台の動きに対応して固定橈骨アクセス台に対して移動できるかをさらに例示している。
【図３Ｂ】図３Ｂは、支持アセンブリに支持され、カテーテル検査台から延びた患者の腕の斜視図を示し、どのようにして患者の腕が、カテーテル検査台の動きに対応して固定橈骨アクセス台に対して移動できるかをさらに例示している。
【００２２】
【図４】図４は、どのようにしてイメージングシステム、例えば、透視装置を橈骨アクセス台に対して配置できるかの例示的な図を示している。
【００２３】
【図５】図５は、どのようにして橈骨アクセス台の接合部分をその台の残りの部分に対して構成を変更できるかの斜視図を示している。
【００２４】
【図６】図６は、接合部分及び橈骨台が後方台に対して畳むために構成を変更可能である別のバリエーションの斜視図を示している。
【００２５】
【図７】図７は、後方台の下に十分なクリアランスを画定する台の脚によって支持されたこの台を例示する別のバリエーションの斜視図を示している。
【００２６】
【図８】図８は、どのようにして接合部分を橈骨台部分に固定できるかの一例の斜視図を示している。
【００２７】
【図９】図９は、どのようにして橈骨台及び接合部分を後方台に再構成可能に固定できるかの一例の斜視図を示している。
【００２８】
【図１０】図１０は、どのようにして橈骨台及び接合部分を後方台に再構成可能に固定できるかを例示する別の例の斜視図を示している。
【００２９】
【図１１】図１１は、支持アセンブリの別のバリエーションの斜視図を示している。
【００３０】
【図１２Ａ】図１２Ａは、支持アセンブリを回動可能に固定するための支持アームのバリエーションの側面図を示している。
【図１２Ｂ】図１２Ｂは、支持アセンブリを回動可能に固定するための支持アームのバリエーションの端面図を示している。
【００３１】
【図１３Ａ】図１３Ａは、支持アセンブリの別のバリエーションの斜視図を示している。
【図１３Ｂ】図１３Ｂは、支持アセンブリの別のバリエーションの組立図を示している。
【００３２】
【図１４】図１４は、橈骨アクセス台に配置された図１３Ａの支持アセンブリの斜視図を示している。
【００３３】
【図１５Ａ】図１５Ａは、カテーテル検査台に固定することができる橈骨アクセス台のなお別のバリエーションの側面図を示している。
【図１５Ｂ】図１５Ｂは、カテーテル検査台に固定することができる橈骨アクセス台のなお別のバリエーションの斜視図を示している。
【００３４】
【図１５Ｃ】図１５Ｃは、支持脚を橈骨台に旋回可能又は折り畳み可能に接続することができる別のバリエーションの斜視図を示している。
【００３５】
【図１５Ｄ】図１５Ｄは、どのようにして図１５Ａの台をカテーテル検査台に固定できるかの一例を例示する斜視図を示している。
【００３６】
【図１６Ａ】図１６Ａは、後方台に留める又は固定することができる橈骨アクセス台のなお別のバリエーションの斜視図を示している。
【図１６Ｂ】図１６Ｂは、後方台に留める又は固定することができる橈骨アクセス台のなお別のバリエーションの斜視図を示している。
【００３７】
【図１６Ｃ】図１６Ｃは、後方台に固定された図１６Ａの台の斜視図を示している。
【図１６Ｄ】図１６Ｄは、後方台に固定され、カテーテル検査台に近接して配置された図１６Ａの台の斜視図を示している。
【００３８】
【図１７】図１７は、任意選択のドレープ又はシールドを含む橈骨アクセス台の斜視図を示している。
【００３９】
【図１８】図１８は、橈骨アクセス台及びこの台と共に使用するために専用に構成することができる任意選択の補助具の組立図を示している。
【発明を実施するための形態】
【００４０】
例えば、介入処置での橈骨血管へのアクセスでは、様々な器具、例えば、カテーテル、ガイドワイヤ、血管内バルーン、ステント足場などの安定した挿入経路を形成するために、患者の肢が、典型的には体から離れる方向に伸ばされて固定される。患者の肢、例えば、腕は、通常は、手首が伸びて橈骨静脈が露出するように配置される。
【００４１】
橈骨台アセンブリ１０の一例が図１の斜視図に例示されている。図１は、１つ以上の脚によって支持された後方台１２、この後方台１２から延びた橈骨台部分１４、及びこの橈骨台部分１４から、例えば、片持ち式にさらに延びた接合部分１６を通常は含む台アセンブリ１０を示している。接合部分１６は、傾斜縁１８を画定することができ、この傾斜縁１８により、台アセンブリ１０を、カテーテル検査台４０に極めて近接して又は隣接して所定の角度で相対的に配置して、患者の肢ＬＭ（例えば、腕）を、台４０に乗せられた患者の体ＰＴから伸ばすことができる支持台を得ることができる。この台アセンブリ１０により、外科医及び開業医が、橈骨動脈を介して処置、例えば、血管造影、経皮的介入などを容易にする楽なやり方で行うことができる。
【００４２】
後方台１２は、手術台又は支持台を含むことができ、橈骨台部分１４は、任意選択でヒンジ結合される接合部又はピボット接合部２０に沿って後方台１２の遠位縁に取り付けることができ、例えば、３０．４８〜１２１．９２ｃｍ（１２〜４８インチ）以上の幅、及び、例えば、最大５０．８ｃｍ（２０インチ）以上の長さを有する。接合部分１６は、同様に、任意選択でヒンジ結合される接合部又はピボット接合部２２に沿って橈骨台部分１４の遠位端部に固定することができ、橈骨台部分１４と同様の幅を有することができる。接合部分１６は、一定距離延びて、その傾斜縁１８の遠位端部で終端することができ、この傾斜縁１８は、台アセンブリ１０の長さ方向に対して、例えば、１０度〜９０度（又は特に４５〜５５度）の任意の範囲の角度を有することができる。後方台１２及び橈骨台部分１４はそれぞれ、放射線不透過性である様々な材料、例えば、ステンレス鋼から構成することができ、接合部分１６は、任意選択で抗菌性である又は殺菌することができる放射線透過性材料、例えば、様々なポリカーボネート材料、例えば、Ｌｅｘａｎ（登録商標）（ＳＡＢＩＣ  Ｉｎｎｏｖａｔｉｖｅ  Ｐｌａｓｔｉｃｓ）、超高分子量ポリエチレン（ＵＨＭＷ）などから構成することができる。接合部分１６を放射線透過性材料から構成することにより、イメージング装置、例えば、透視装置（又はその他の適切なイメージング装置）が、必要に応じて患者の肢ＬＭの近位上部を透過して画像化することができる。
【００４３】
クレードルアセンブリ２４は、接続接合部３４、３６、３８のいずれか１つの中に入れて、橈骨台アセンブリ１０に回動可能に固定することができ、これらの接続接合部３４、３６、３８は、例えば、図示されているように橈骨台部分１４の近位縁に沿って整合させることができる。クレードルアセンブリ２４は、任意選択で、カテーテル検査台４０に沿った患者の体ＰＴの位置によって決まる接続接合部３４、３６、３８のいずれか１つの中に配置することができる。クレードルアセンブリ２４自体は、通常は、例えば、最大２５．４ｃｍ（１０インチ）以上の長さ及び、例えば、１５．２４ｃｍ（６インチ）以上の幅を有するクレードル部材２６を含むことができ、このクレードル部材２６は、患者の手首、前腕、及び手ＨＮを楽に受容する凹部を画定するように構成されている。任意選択の近位クレードル部材２８は、必要に応じて又は所望に応じて、患者の上腕を支持するために延長アーム３０によってクレードル部材２６から調整可能に伸ばすことができる。クレードル部材２６及び任意選択の近位クレードル部材２８はそれぞれ、同様に所望に応じて患者の前腕及び手の画像化をさらに可能にするために、放射線不透過性材料（例えば、ステンレス鋼）又は放射線透過性材料（例えば、ポリカーボネート）のいずれかから形成することができる。
【００４４】
クレードルアセンブリ２４は、２つの回動点又は関節点を画定することができ、この２つの回動点又は関節点により、クレードルアセンブリ２４を接続接合部３４に連結する支持アーム３２に対するクレードル部材２６の回動が可能にとなり、かつ接続接合部３４及び橈骨台１４に対する支持部材３２の回動も可能となる。患者の体ＰＴがカテーテル検査台４０に乗せられた状態で、肢ＬＭ及び特に手及び手首を伸ばしてクレードル部材２６に固定することができ、任意選択で患者の指をクレードル部材２６の遠位端部に固定して手首を伸ばす。肢ＬＭを固定して、任意選択でもたれた状態では、様々な経皮アクセス又は外科処置によって橈骨動脈に容易にアクセスすることができる。様々な器具又は介入具を、橈骨台部分１４及び／又は後方台１２に乗せる又は広げることができ、その状態で、外科医及び／又は開業医が、カテーテル検査台４０（又は手術台）と橈骨台アセンブリ１０との間に入ることができる。
【００４５】
しかしながら、患者の体ＰＴ及び検査台４０の上及び下に配置されたイメージング装置に対してこの患者の体ＰＴの位置を変更する必要がある場合は、肢ＬＭをクレードル部材２６に固定したまま、検査台４０をその長さ又は幅のいずれかに沿って移動させることができる。従って、患者の体ＰＴがイメージング装置に対して及び橈骨台アセンブリ１０に対して移動するときに、外科医又は開業医の邪魔にならずに、クレードル部材２６（及びこのクレードル部材２６に乗せられた手及び手首）の支持アーム３２に対する回動及び支持アーム３２の橈骨台部分１４に対する回動によって、患者の肢ＬＭも、患者の体ＰＴの位置の変更に対応するように位置が変更され得る。クレードル部材２６及び支持アーム３２の橈骨台に対するこれらの２つの回動点により、全３６０度の運動が可能となり得る。あるいは、クレードル部材２６及び支持アーム３２の一方又は両方の橈骨台部分１４に対する回動は、所望に応じて、指定の範囲内の回動に限定しても良い。いずれの場合も、患者の体ＰＴがイメージング装置及び／又は橈骨台アセンブリ１０に対してどのように移動しても、患者の肢ＬＭの向きが、患者の体ＰＴに対して自動的に維持され得るため、患者の肢ＬＭから延びて後方台１２に乗せられたどの器具又は道具も、患者の体ＰＴの動きに対応するように動かすのではなく放置することができる。
【００４６】
図２Ａ及び図２Ｂは、クレードルアセンブリの別のバリエーションの相対運動を例示するこのバリエーションの詳細な斜視図（見やすくするために患者の肢ＰＴは不図示）である。このバリエーションでは、クレードル部材２６は、支持アーム５２に対して垂直に延びた挿入ロッドを有する支持アーム５２（以下に詳述される）を介して橈骨台部分１４に連結することができる。支持アーム５２の挿入ロッドを受容するための受容開口５４を画定する受容支持体５０は、接続接合部３４内に固定することができる。この例では１つの接続接合部３４が示されているが、任意選択で、様々な向きに対応するために橈骨台部分１４に沿った様々な位置に様々な追加の接続接合部を配置することができる。第２の受容支持体５６がクレードル部材２６から延びて、第２の受容支持体５６は、支持アーム５２から延びた第２の垂直挿入ロッドを受容するための第２の受容開口５８を画定することができる。
【００４７】
橈骨台アセンブリの中心線６０が例示目的で示され、クレードルアセンブリの中心線６２も例示目的で示されている。図２Ａは、クレードルアセンブリの中心線６２が、橈骨台アセンブリの中心線６０に対して最初はどのように向いていたかを示している。検査台４０及び患者の体ＰＴが、固定イメージング装置及び固定橈骨台アセンブリ１０に対して位置が変更されるときに、患者の腕が、クレードル部材２６をそのクレードル回転軸６４及びクレードル部材回転軸６６を中心に相応に回動させることができる。図２Ｂに示されている変更された位置であっても、クレードルアセンブリの中心線６２の向きは、橈骨台アセンブリの中心線６０に対してなお維持されている。
【００４８】
別の例が図３Ａ及び図３Ｂの斜視図に示されている。図３Ａ及び図３Ｂは、検査台４０に接触して又は近接して配置された橈骨アクセス台アセンブリ１０を例示している。検査台４０から延びた患者の肢ＬＭの一例が、最初はクレードル部材２６に固定されていることが分かるであろう。検査台４０が、例えば、運動方向６８及び６８’に移動するときに、クレードル部材２６が、そのクレードル回転軸６４及びそのクレードル部材回転軸６６を中心に相応に回動することができ、これにより、クレードル部材２６は、橈骨台部分１４に対して向き位置が変更されるが、肢ＬＭの向きは、このクレードル部材の維持された向きによって患者の体ＰＴに対して維持される。
【００４９】
橈骨台アセンブリ１０は、様々なイメージング装置を用いて利用することができるため、このアセンブリ１０は、図４の斜視図に示されているイメージングシステム７０、例えば、透視装置を対応するように設計することができる。このようなシステム７０は、典型的にはＣアーム７２を利用し、このＣアーム７２は、その両端部に互いに相対して配置された検出器７４及びＸ線放射装置７６を有する。イメージングシステム７０は、通常は、検査台４０及び橈骨台アセンブリ１０に対して固定されているが、Ｃアーム７２は、様々な角度で、下に位置する患者の体の画像を得るために回動調整可能とすることができる。イメージングシステム７０のこのような動きに対応するために、橈骨台アセンブリ１０は、橈骨台部分１４及び接合部分１６を有するように構成することができ、この橈骨台部分１４及び接合部分１６は、後方台１２から一定距離、例えば、３０．４８ｃｍ（１フィート）から数百ｃｍ（数フィート）（又は特に１５２．４〜１８２．８８ｃｍ（５〜６フィート））の任意の距離、片持ち式に延びて、放射装置７６（又はその他の器具）がこのアセンブリ１０の下に配置されるときにこの台の下に十分なクリアランス距離７８が画定される。この片持ち機構は、本明細書に図示又は記載される台アセンブリの様々な実施形態のいずれにも採用することができる。橈骨台アセンブリに対する寸法及び大きさは、例示的な例として示され、所望に応じて様々な患者に適合させるために変更又はカスタマイズすることができる。
【００５０】
台アセンブリ１０の別の特徴が、図５の斜視図に示されている。図５は、構成を変更可能な接合部分１６を例示している。接合部分は傾斜縁１８を画定しているため、接合部分１６は、橈骨台部分１４に調整可能に取り付けることができる。接合部分１６は、橈骨台部分１４から完全に取り外すことができるが、図示されているバリエーションは、橈骨台部分１４に回動可能に連結することができる接合部分１６を例示している。接合部分１６は、回動点８０を介して橈骨台部分に連結することができ、この回動点８０により、傾斜縁１８の構成を変更して反対方向にし、橈骨台アセンブリ１０を検査台４０の反対側、例えば、検査台４０の左側から右側に配置できるようになり、患者のどちらの腕からのアクセスも容易になる。１つ以上の嵌め合い要素（ｍａｔｉｎｇ  ｆｅａｔｕｒｅ）８２、８４を接合部２２に沿って延出させてこの接合部２２を固定し、使用中の接合部分１６の橈骨台部分１４に対する自由回転を防止することができる。
【００５１】
なお別の特徴が、図６の斜視図に示されている。図６は、橈骨台部分１４を、後方台１２に対してその接合部２０に沿ってどのようにして折り畳めるかを示している。橈骨台部分１４の後方台１２に対する固定を解除することにより、この台部分１４及び接続接合部１６の両方を、保管するため又は後方台１２のみが処置に利用される場合に接合部２０に沿った１つ以上のピボット又はヒンジによって折り畳むことができる。使用する際は、１つ以上の橈骨台嵌め合い要素８６、８８を接合部２０に沿って延出させて、この接合部２０を橈骨台部分１４と後方台１２との間に固定することができる。
【００５２】
図５に示されている回動可能な接合部分１６及びピボット橈骨台部分１４の両方を一緒に又は別々に、本明細書に記載の任意の実施形態に実施可能な任意の組み合わせで含めることができることを意図する。例えば、図３Ａ〜図３Ｂ及び図４〜図６に示され、説明されている各特徴を、所望に応じて橈骨台アセンブリの１つの実施形態にまとめることができる。
【００５３】
図７は、橈骨台アセンブリのなお別のバリエーションの斜視図を示している。この例では、後方台１２は、その遠位端部から垂直に延出した１つの台支持体９０を利用することができる。遠位端部での台支持体９０の位置調整により、橈骨台部分１４及び接合部分１６の下並びに後方台１２の下にも十分なクリアランス空間９２を画定することができる。
【００５４】
図８は、接合部分１６と橈骨台部分１４との間にある、上記の図５に示されている回動のピボット点を実施するための１つのバリエーションの斜視図を示している。支持部材１００は、橈骨台部分に沿って画定された受容カラー１０２内への回動可能な挿入のために接合部分１６から剛性に延ばすことができる。支持部材１００の遠位部分は、カラー１０２との間に付勢部材１０４、例えば、ばねを固定できるようにこのカラー１０２を超えて延出することができる。付勢部材１０４は、接合部分１６を橈骨台部分１４に対して維持するが、支持部材１００及び接合部分１６のカラー１０２を中心とした回動をなお許容する付勢力を加えることができる。
【００５５】
接合部分１６の回動に加えて、図９は、上記の図６に示されている橈骨台部分１４と後方台１２との間にあるピボット接合部を実施するための１つのバリエーションの斜視図を示している。このバリエーションでは、ロックブラケット１０６を、橈骨台部分１４と後方台１２との間に固定することができる。このようなブラケット１０６は、橈骨台部分１４の片持ち位置及び折り畳まれた位置への位置変更を選択的に行えるようにヒンジ結合することができる。図１０は、橈骨台部分１４と後方台１２との間のピボット接合部を実施するための別のバリエーションを示している。このバリエーションでは、１つ以上のスライドボルト１０８、１０８’を、橈骨台部分１４又は後方台１２のいずれかに沿って画定された対応する受容溝１１０、１１０’内に固定するために後方台１２に対して延出させる又は引き戻すことができる。１つ以上のスライドボルト１０８、１０８’が引き戻されると、橈骨台部分１４を下げることができる、１つ以上のスライドボルト１０８、１０８’が延出すると、橈骨台部分１４をその片持ち構造に固定することができる。
【００５６】
ここでクレードルアセンブリに戻ると、図１１は、１つ以上の任意選択のロックつまみ１２０、１２２を有するクレードルアセンブリの別のバリエーションの斜視図を示している。このようなロックつまみ１２２は、必要に応じて、クレードル部材２６の自由回動もしくは抵抗のある回動、又はクレードル部材２６の完全なロックを行うことができる。ロックつまみ１２０はまた、近位クレードル部材２８の位置を調整する際に延長アーム３０の選択的なロックを行うことができる。このバリエーションにはまた、湾曲支持アーム１２４も示されており、この湾曲支持アーム１２４は、橈骨台部分内に画定された接続接合部とクレードル部材２６との間に回動可能に延在させることができる。支持アーム１２４は、下側の橈骨台部分１４からのクレードル部材２６の高さを変更するために、曲げたり伸ばしたりすることができる弓状アームとすることができる。
【００５７】
支持アームのなお別のバリエーションにおいて、図１２Ａ及び図１２Ｂはそれぞれ、長方形の断面積及び長さ、例えば、約１５．２４〜１７．７８ｃｍ（６〜７インチ）の長さを有する支持アーム５２の側面図及び端面図を示している。挿入ロッド１３０は、支持アーム５２から垂直に延ばすことができ、かつクレードルアセンブリ２４の受容支持体５６内に回動可能に挿入することができる。同様に、挿入ロッド１３２は、挿入ロッド１３０とは反対の方向に支持アーム５２から垂直に延ばすことができ、かつ接続接合部３４の中に、又は橈骨台１４内に画定された他の接続接合部のいずれか１つの中に回動可能に挿入することができる。接合カラー１３４を、受容支持体５０に接触するように、支持アームに隣接した挿入ロッド１３２の周りに画定することもできる。１つ以上の接触突出部１３６を接合カラー１３４から突出させて、特に患者の肢ＬＭの重量が支持アーム５２に支持される場合に、支持アーム５２の接続接合部３４に対する回動を容易にすることもできる。
【００５８】
図１３Ａ及び図１３Ｂはそれぞれ、クレードルアセンブリのなお別のバリエーションの斜視図及び組立図を示している。このバリエーションでは、クレードル部材２６及び支持アーム５２を、橈骨台部分１４とは別個のベース１４０に回動可能に連結することができる。図示されているベース１４０は、構造的完全性を得るために１つ以上のガセット１４４を有することができ、挿入ロッド通路１４２、及びこの挿入ロッド通路１４２から延びた任意選択の固定機構１４６をさらに画定することができる。このバリエーションでは、クレードル部材２６及びベース１４０は、橈骨台又は別の支持台に配置することができる。図１４は、台支持体１５２によって支持された後方台１２に配置されたクレードル部材２６及びベース１４０を有する橈骨台アセンブリの斜視図を示している。接合部分１５０は、このバリエーションでは放射線透過性であり、後方台１２よりも厚く形成されているが、接合部分１５０の厚さは適宜薄くすることができる。
【００５９】
ここで台アセンブリに戻ると、図１５Ａ及び図１５Ｂはそれぞれ、他のバリエーションに類似した橈骨台部分１６２及び接合部分１６４から通常は構成される橈骨台アセンブリ１６０のなお別のバリエーションの側面図及び斜視図を示している。しかしながら、このバリエーションは、傾斜縁に沿って整合された１つ以上の固定機構１６６（例えば、クランプなど）を介してカテーテル検査台４０に直接的に固定する又は留めるように構成することができる。橈骨台部分１６２の遠位端部は、任意選択の折り畳み又はピボット機構１７０を介して台に連結することができる支持体１６８によって支持することができ、この折り畳み又はピボット機構１７０により、支持体１６８を台部分１６２に対して旋回させて、図１５Ｃの斜視図に示されている固定機構１７２、例えば、クランプによって固定することができる。図１５Ｄは、接合部分１６４を、どのように固定機構１６６によって検査台４０の側面に沿って取り付けて一定の角度で延在させることができるか例示する斜視図を示している。患者ＰＴは、必要に応じて橈骨にアクセスできるように自身の腕を接合部分１６４に沿って伸ばすことができる。また、検査台４０を移動させて患者のイメージング装置に対する位置を変更するときに、橈骨台アセンブリ１６０がこの台４０と共に移動することができる。このバリエーションでもなお、クレードルアセンブリを、既に記載されたように使用するために橈骨台部分１６２に配置することができる。
【００６０】
図１６Ａ及び図１６Ｂは、別個の後方台に固定することができる別の台アセンブリのバリエーションの斜視図を示している。図示されている橈骨台アセンブリ１８０は、通常は、接合部分１５０及び後方台に固定するための固定機構１９２、１９４並びに支持アーム１８４、１８６を有する橈骨台１８２を含むことができ、この支持アーム１８４、１８６は、対応するクランプ機構１８８、１９０を介した後方台の脚又は支持体へのさらなる固定のために、例えば、一定の角度で橈骨台１８２から延ばすことができる。図１６Ｃは、どのように橈骨台１８２を固定機構１９２、１９４を介して別個の後方台１９８に留めることができるかを例示している。支持アーム１８４、１８６は、後方台１９８の台の脚１９６への取り付けのために橈骨台１８２から延びていることが分かるであろう。使用の際は、図１６Ｄの斜視図に示されているように、後方台１９８に取り付けられた橈骨台アセンブリ１８０を、傾斜接合部分１５０を検査台４０に位置合わせして検査台４０に配置することができる。クレードルアセンブリは、本明細書に記載される要領で患者ＰＴに使用するために橈骨台１８２上に配置する、又は橈骨台１８２に回動可能に固定することができる。
【００６１】
台アセンブリに加えて、追加の特徴及び／又は補助具を組み合わせて使用することができる。一例が、図１７の斜視図に示されている。図１７は、橈骨台の縁２０４に沿って取り付けることができる１枚のカーテンもしくはシート又は多数の個々のシールドストリップ２０２から構成することができる放射線シールド２００を示している。この放射線シールド２００を、外科医又は開業医に近い台アセンブリの任意の縁に沿って取り付けて、典型的には患者の体を映像化するために使用されるイメージング装置によって放射され得る、例えば、Ｘ線からさらに保護することができる。
【００６２】
図１８は、橈骨台アセンブリと組み合わせて使用することもできる追加の特徴及び／又は補助具の組立図を示している。例えば、クレードル部材２６に沿って使用されるように構成及び形成された１つ以上のクッション支持体２１０を橈骨台アセンブリに設けても良いし、又は別個としても良い。加えて、台アセンブリもしくは様々な器具と共に使用されるように構成された外科ドレープ２１２、又は後方台１２もしくは橈骨台１４に配置可能なディスプレイ２１４を、所望に応じて設けることもできる。これらの補助具の全て又はいずれか１つを、橈骨台アセンブリと共にキットに含めて提供しても良いし、又は別個に提供しても良い。
【００６３】
さらに、本明細書に記載される個々の特徴のいずれも、実施可能なその他の特徴との様々な組み合わせで利用できることをさらに意図するものである。
【００６４】
上述のデバイス及び方法の適用は、腕の支持に限定されるものではなく、様々なさらなる適用を含み得る。さらに、このようなデバイス及び方法は、体の他の部分にも適用することができる。本発明を実施するための上記のアセンブリ及び方法の変更、実施可能な様々なバリエーションの組み合わせ、並びに当業者に明らかな本発明の態様のバリエーションは、特許請求の範囲内であるものとする。
【図１】
2016509519.tif 000003
【図２Ａ】
2016509519.tif 000004
【図２Ｂ】
2016509519.tif 000005
【図３Ａ】
2016509519.tif 000006
【図３Ｂ】
2016509519.tif 000007
【図４】
2016509519.tif 000008
【図５】
2016509519.tif 000009
【図６】
2016509519.tif 000010
【図７】
2016509519.tif 000011
【図８】
2016509519.tif 000012
【図９】
2016509519.tif 000013
【図１０】
2016509519.tif 000014
【図１１】
2016509519.tif 000015
【図１２Ａ】
2016509519.tif 000016
【図１２Ｂ】
2016509519.tif 000017
【図１３Ａ】
2016509519.tif 000018
【図１３Ｂ】
2016509519.tif 000019
【図１４】
2016509519.tif 000020
【図１５Ａ】
2016509519.tif 000021
【図１５Ｂ】
2016509519.tif 000022
【図１５Ｃ】
2016509519.tif 000023
【図１５Ｄ】
2016509519.tif 000024
【図１６Ａ】
2016509519.tif 000025
【図１６Ｂ】
2016509519.tif 000026
【図１６Ｃ】
2016509519.tif 000027
【図１６Ｄ】
2016509519.tif 000028
【図１７】
2016509519.tif 000029
【図１８】
2016509519.tif 000030
【手続補正書】
【提出日】平成27年11月27日(2015.11.27)
【手続補正１】
【補正対象書類名】特許請求の範囲
【補正対象項目名】全文
【補正方法】変更
【補正の内容】
【特許請求の範囲】
【請求項１】
台アセンブリであって：
患者の肢を支持する大きさに形成された表面を画定する支持台；
前記支持台の遠位端部に取り付けられた接合部分であって、放射線透過性であり、かつ前記支持台から一定距離延びている、接合部分；及び
前記接合部分に近接した位置で前記支持台に回動可能に接続されたクレードル部材を含む、アセンブリ。
【請求項２】
前記接合部分が、前記支持台に対して回動調整可能である、請求項１に記載のアセンブリ。
【請求項３】
前記接合部分が、前記支持台に対して傾斜した縁を画定し、この傾斜縁が追加の支持台に配置可能である、請求項１に記載のアセンブリ。
【請求項４】
前記接合部分が、その下で他に接触せずにイメージング装置を収容できる距離まで延びている、請求項１に記載のアセンブリ。
【請求項５】
前記クレードル部材が、患者の肢を受容して支持するように構成された、請求項１に記載のアセンブリ。
【請求項６】
前記クレードル部材を前記支持台に固定するように構成された接続接合部；及び
前記接続接合部から前記クレードル部材まで回動可能に延びた支持アームをさらに含む、請求項５に記載のアセンブリ。
【請求項７】
前記接合部分及び／又は前記支持台から延びた放射線不透過性障壁をさらに含む、請求項１に記載のアセンブリ。
【請求項８】
台アセンブリであって：
患者の肢を支持する大きさに形成された表面を画定する支持台；
前記支持台の遠位端部に取り付けられた接合部分を含み、
前記接合部分が、放射線透過性であり、前記支持台から一定距離延びており、かつ
傾斜縁が前記支持台に対して逆向きになるように、前記接合部分が前記支持台に対して構成を変更可能である、アセンブリ。
【請求項９】
前記接合部分が、前記支持台に対して傾斜した縁を画定し、この傾斜縁が追加の支持台に配置可能である、請求項８に記載のアセンブリ。
【請求項１０】
前記接合部分が、その下で他に接触せずにイメージング装置を収容できる距離まで延びている、請求項８に記載のアセンブリ。
【請求項１１】
患者の肢を受容して支持するように構成され、前記接合部に近接した位置で前記支持台に回動可能に接続された、クレードル部材をさらに含む、請求項８に記載のアセンブリ。
【請求項１２】
前記クレードル部材を前記支持台に固定するように構成された接続接合部；及び
前記接続接合部から前記クレードル部材まで回動可能に延びた支持アームをさらに含む、請求項１１に記載のアセンブリ。
【請求項１３】
前記接合部分及び／又は前記支持台から延びた放射線不透過性障壁をさらに含む、請求項８に記載のアセンブリ。
【請求項１４】
支持アセンブリであって：
患者の肢を受容して支持するように構成されたクレードル部材；
前記アセンブリを第１の支持台に回動可能に固定するように構成された接続接合部；及び
前記接続接合部から回動可能に延びた、前記クレードル部材に回動可能に連結された支持アームを含み、
前記クレードル部材の位置及び向きが、第２の支持台の位置及び向きに応じて変わる、支持アセンブリ。
【請求項１５】
前記クレードル部材の位置及び向きが、前記第１の支持台と前記第２の支持台との間に延在する該肢による前記第２の支持台の位置及び向きに応じて変わる、請求項１４に記載のアセンブリ。
【請求項１６】
前記接続接合部と前記支持アームの近位端部との間に回動可能に連結された第１のピボット；及び
前記クレードル部材と前記支持アームの遠位端部との間に回動可能に連結された第２のピボットをさらに含む、請求項１４に記載のアセンブリ。
【請求項１７】
前記支持台の遠位端部に取り付けられた接続接合部をさらに含み、前記接続接合部が、放射線透過性であり、かつ前記支持台から一定距離延びている、請求項１４に記載のアセンブリ。
【請求項１８】
前記接続接合部が、前記支持台に対して回動調整可能である、請求項１７に記載のアセンブリ。
【請求項１９】
前記接続接合部が、前記支持台に対して傾斜した縁を画定し、この傾斜縁が、第２の支持台に配置可能である、請求項１７に記載のアセンブリ。
【請求項２０】
前記接続接合部が、その下で他に接触せずにイメージング装置を収容できる距離まで延びている、請求項１７に記載のアセンブリ。
【請求項２１】
前記接合部分及び／又は前記支持台から延びた放射線不透過性障壁をさらに含む、請求項１７に記載のアセンブリ。
【手続補正書】
【提出日】平成27年11月27日(2015.11.27)
【手続補正１】
【補正対象書類名】明細書
【補正対象項目名】全文
【補正方法】変更
【補正の内容】
【発明の詳細な説明】
【技術分野】
【０００１】
（関連出願の相互参照）
本出願は、それぞれ参照によりそれらの全開示内容が本明細書に組み入れられる２０１３年２月７日出願の特許文献１及び２０１３年１１月４日出願の特許文献２の優先権の利益を主張するものである。
【０００２】
本発明は、橈骨アクセス処置を容易にする方法及び装置に関する。詳細には、本発明は、患者の体の位置を変更する必要がある又は体の位置を変更するのが望ましい場合に、橈骨アクセス処置を容易にする方法及び装置に関する。
【背景技術】
【０００３】
心臓カテーテル処置は、通常は、患者の心臓にアクセスするために主幹動脈、例えば、大腿動脈に通されるカテーテルを利用する。しかしながら、血管内及び心臓系へのアクセスは、橈骨動脈に通しても達成することができ、通常はより便利であると考えられ、しかも処置の時間を短縮し、かつ処置中の合併症のリスクも低減することができる。しかしながら、心臓カテーテル処置は、しばしば、ガイドワイヤ、血管内バルーン、ステントなどを含む様々な外科器具の使用を必要とする。
【０００４】
さらに、イメージングシステム、例えば、透視装置又は他のイメージング装置が、典型的には心臓カテーテル処置の最中に利用される。これらの装置のサイズ及び重量により、患者の体内の様々な組織領域のイメージングでは、しばしば、イメージングシステムに対して体の位置を変更する必要がある。これにより、患者の体を物理的に移動させる必要がある。しかしながら、橈骨アクセス処置中に使用される器具の数により、患者の体の位置を変更することは困難であり、面倒である。
【０００５】
従来のデバイスは、橈骨アクセスを容易にするために開発されたものである。このようなデバイスは、患者が乗せられる支持台から延びたボード又は表面の使用を含む。このようなボードは、典型的には、橈骨アクセスを行う際に患者の肢、例えば、腕を支持して体から伸ばすために支持台に留める又は他の方法で固定される。しかしながら、このようなボードは、外科手術の現場で使用するのは面倒であり、器具を配置できる安定した支持台を提供することができない。
【０００６】
他のデバイスは、カテーテル検査台又は別個の支持構造に留めることができるピボットアーム又は関節アームによって支持されるアームボード又は支持台の使用を含む。このようなピボットアーム又は関節アームは、橈骨処置のために患者の腕を支持することができるが、これらのデバイスは、器具用の安定した支持台を未だ実現することができず、しかもイメージングシステムに対して患者の体を移動させる又は位置を変更する必要性に対処することもできない。
【先行技術文献】
【特許文献】
【０００７】
【特許文献１】米国仮特許出願第６１／８５０，０９７号明細書
【特許文献２】米国仮特許出願第６１／９６２，２６２号明細書
【発明の概要】
【発明が解決しようとする課題】
【０００８】
従って、橈骨アクセス用の様々な器具を支持することができ、かつ橈骨アクセス処置中に患者の体の位置の変更を容易にする方法及びデバイスが必要とされている。
【課題を解決するための手段】
【０００９】
例えば、介入処置のために橈骨血管にアクセスする際は、患者の肢、例えば、腕の位置が、通常は、手首が伸びて橈骨静脈が露出するように合わせられる。橈骨処置のための患者の肢の固定を容易にすると共に患者の体の位置の変更に対応するために、記載される橈骨台アセンブリを利用することができる。橈骨台アセンブリは、通常は、患者の肢を支持する大きさに形成された表面を画定する支持台、この支持台の遠位端部に取り付けられた接合部分であって、放射線透過性であり、かつこの支持台から一定距離延びている、接合部分、及びこの接合部分に近接した位置で支持台に回動可能に接続されたクレードル部材を含み得る。他のバリエーションでは、接合部分は、傾斜縁が支持台に対して逆向きになるようにこの支持台に対して構成を変更可能である。
【００１０】
クレードルアセンブリ自体は、通常は、患者の肢を受容して支持するように構成されたクレードル部材、このアセンブリを第１の支持台に回動可能に固定するように構成された接続接合部、及びこの接続接合部から回動可能に延びて、クレードル部材に回動可能に連結された支持アームから構成することができ、クレードル部材の位置及び向きは、第２の支持台の位置及び向きに応じて変わる。
【００１１】
使用の際、橈骨台アセンブリに対して患者の体の位置を合わせる１つの方法は、患者の体の肢を支持する大きさに形成され、第１の支持台に移動可能に取り付けられたクレードル部材にこの肢の位置を合わせるステップ、患者の体が乗せられた第２の支持台を移動させるステップであって、この第２の支持台が第１の支持台に近接している、ステップ、及びクレードル部材の位置又は向きが、肢の位置がこのクレードル部材に合わせられたときの第２の支持台の位置又は向きに応じて変わるように、クレードル部材を、第２の支持台の動きに対応するように第１の支持台に対して移動させるステップを通常は含み得る
【００１２】
橈骨台アセンブリの一例は、１つ以上の脚によって支持された後方台、この後方台から延びた橈骨台部分、及びこの橈骨台部分から、例えば、片持ち式にさらに延びた接合部分を通常は含み得る。この接合部分は、傾斜縁を画定することができ、この傾斜縁により、台アセンブリをカテーテル検査台に対して極めて近接して又は隣接して所定の角度で相対的に配置することができ、これにより、患者の肢（例えば、腕）を台に乗せられた患者の体から伸ばすことができる支持台が得られる。この台アセンブリにより、外科医及び開業医が、橈骨動脈を介して処置、例えば、血管造影、経皮的介入などを容易にする楽なやり方で行うことができる。
【００１３】
後方台は、手術台又は支持台を含むことができ、橈骨台部分は、任意選択でヒンジ結合される接合部又はピボット接合部に沿って後方台の遠位縁に取り付けることができ、例えば、４０．４８〜２１．９２ｃｍ（１２〜４８インチ）以上の幅、及び、例えば、最大５０．８ｃｍ（２０インチ）以上の長さを有する。接合部分は、同様に、任意選択でヒンジ結合される接合部又はピボット接合部に沿って橈骨台部分の遠位端部に固定することができ、橈骨台部分と同様の幅を有することができる。接合部分は、一定距離延びて、その傾斜縁の遠位端部で終端することができ、この傾斜縁は、台アセンブリの長さ方向に対して、例えば、１０度〜最大９０度（又は特に４５〜５５度）の範囲の任意の角度を有することができる。後方台及び橈骨台部分はそれぞれ、放射線不透過性である様々な材料、例えば、ステンレス鋼から構成することができ、接合部分は、任意選択で抗菌性である又は殺菌することができる放射線透過性材料、例えば、様々なポリカーボネート材料、例えば、Ｌｅｘａｎ（登録商標）（ＳＡＢＩＣ  Ｉｎｎｏｖａｔｉｖｅ  Ｐｌａｓｔｉｃｓ）、超高分子量ポリエチレン（ＵＨＭＷ）などから構成することができる。接合部分を放射線透過性材料から構成することにより、イメージング装置、例えば、透視装置（又はその他の適切なイメージング装置）が、必要に応じて、患者の肢の近位上部を透過して画像化することができる。
【００１４】
クレードルアセンブリは、接続接合部のいずれか１つの中に入れて、橈骨台アセンブリに回動可能に取り付けることができ、これらの接続接合部は、例えば、橈骨台部分の近位縁に沿って整合させることができる。クレードルアセンブリは、任意選択で、カテーテル検査台に沿った患者の体の位置によって決まる接続接合部のいずれか１つの中に配置することができる。クレードルアセンブリ自体は、通常は、例えば、最大２５．４ｃｍ（１０インチ）以上の長さ及び、１５．２４ｃｍ（６インチ）以上の幅を有するクレードル部材を含むことができ、このクレードル部材は、患者の手首、前腕、及び手を楽に受容する凹部を画定するように構成されている。任意選択の近位クレードル部材は、必要に応じて又は所望に応じて、患者の上腕を支持するために、クレードル部材から延長アームを介して調整可能に伸ばすことができる。クレードル部材及び任意選択の近位クレードル部材はそれぞれ、同様に所望に応じて、患者の前腕及び手の画像化をさらに可能にするために、放射線不透過性材料（例えば、ステンレス鋼）又は放射線透過性材料（例えば、ポリカーボネート）のいずれかから形成することができる。
【００１５】
クレードルアセンブリは、２つの回動点又は関節点を画定することができ、この２つの回動点又は関節点により、クレードルアセンブリを接続接合部に連結する支持アームに対するクレードル部材の回動が可能となり、かつ接続接合部及び橈骨台に対する支持アームの回動も可能となる。患者の体がカテーテル検査台に乗せられた状態で、肢及び特に手及び手首を伸ばしてクレードル部材上に固定して、任意選択で患者の指をクレードル部材の遠位端部に固定して手首を伸ばすことができる。肢を固定して、また任意選択でもたれた状態で、様々な経皮アクセス又は外科処置によって橈骨動脈に容易にアクセスすることができる。様々な器具又は介入具を、橈骨台部分及び／又は後方台に乗せる又は広げることができ、その状態で、外科医及び／又は開業医が、カテーテル検査台又は手術台と橈骨台アセンブリとの間に入ることができる。
【００１６】
しかしながら、患者の体及び検査台の上及び下に配置されたイメージング装置に対してこの患者の体の位置を変更する必要がある場合は、肢をクレードル部材に固定したまま、検査台をその長さ又は幅のいずれかに沿って移動させることができる。従って、患者の体がイメージング装置に対して及び橈骨台アセンブリに対して移動するときに、外科医又は開業医の邪魔にならずに、クレードル部材（及びこのクレードル部材に乗せられた手及び手首）の支持アームに対する回動及びこの支持アームの橈骨台部分に対する回動によって、患者の肢も、患者の体の位置の変更に対応するように位置が変更され得る。クレードル部材及び支持アームの橈骨台に対するこれらの２つの回動点により、全３６０度の運動が可能となり得る。あるいは、クレードル部材及び支持アームの一方又は両方の橈骨台部分に対する回動は、所望に応じて、指定の範囲内の回動に限定しても良い。いずれの場合も、患者の体がイメージング装置及び／又は橈骨台アセンブリに対してどのように移動しても、患者の肢の向きが、患者の体に対して自動的に維持され得るため、患者の肢から延びて後方台に乗せられたどの器具又は道具も、患者の体の動きに対応するように動かすのではなく放置することができる。
【００１７】
橈骨台アセンブリは、様々なイメージング装置を用いて利用することができるため、このアセンブリは、イメージングシステム、例えば、透視装置を収容するように設計することができる。このようなシステムは、典型的にはＣアームを利用し、このＣアームは、その両端部に互いに相対して配置された検出器及びＸ線放射装置を有する。イメージングシステムは、通常は、検査台及び橈骨台アセンブリに対して固定されているが、Ｃアームは、様々な角度で、下に位置する患者の体の画像を得るために回動調整可能とすることができる。イメージングシステムのこのような動きに対応するために、橈骨台アセンブリは、橈骨台部分及び接合部分を有するように構成することができ、この接合部分は、後方台から一定の距離、例えば、３０．４８ｃｍ（１フィート）から数百ｃｍ（数フィート）（又は特に１５２．４〜１８２．８８ｃｍ（５〜６フィート））の任意の距離、片持ち式に延びて、放射装置（又はその他の器具）がこのアセンブリの下に配置されるときにこの台の下に十分なクリアランス距離が画定される。この片持ち機構は、本明細書に図示又は記載される台アセンブリの様々な実施形態のいずれにも採用することができる。橈骨台アセンブリに対する寸法及び大きさは、例示的な例として示され、所望に応じて様々な患者に適合させるために変更又はカスタマイズすることができる。
【００１８】
接合部分は、傾斜縁を画定するため、橈骨台部分に調整可能に取り付けることができる。なお別の特徴は、その接合部に沿って後方台に対して折り曲げられる橈骨台部分を含み得る。橈骨台の他のバリエーションは、傾斜縁に沿って整合された１つ以上の固定機構（例えば、クランプなど）によって橈骨台をカテーテル検査台に直接的に固定する又は留めることができる実施形態も含み得る。しかしながら、他のバリエーションは、別個の後方台に取り付けることができる橈骨台アセンブリを含む。
【００１９】
追加の特徴及び／又は補助具を組み合わせて使用することができる。例えば、放射線シールドを、橈骨台の縁に沿って取り付けることができる。この放射線シールドを、外科医又は開業医に近い台アセンブリの任意の縁に沿って取り付けて、典型的には患者の体を映像化するために使用されるイメージング装置によって放射され得る、例えば、Ｘ線からさらに保護することができる。他の特徴は、クレードル部材に沿って使用されるように構成及び形成された１つ以上のクッション支持体を含むことができ、このクッション支持体は、橈骨台アセンブリに設けても良いし、又は別個としても良い。加えて、台アセンブリもしくは様々な器具と共に使用されるように構成された外科ドレープ、又は後方台もしくは橈骨台に配置可能なディスプレイを、所望に応じて設けることもできる。これらの補助具の全て又はいずれか１つを、橈骨台アセンブリと共にキットに含めて提供しても良いし、又は別個に提供しても良い。
【図面の簡単な説明】
【００２０】
【図１】患者支持台に近接して配置され、患者の腕用の回動可能な支持アセンブリを有する橈骨アクセス台の１つのバリエーションの斜視図を示している。
【図２Ａ】橈骨アクセス台に回動可能に取り付けられた支持アセンブリの別のバリエーションを例示している。
【図２Ｂ】橈骨アクセス台に回動可能に取り付けられた支持アセンブリの別のバリエーションを例示している。
【図３Ａ】支持アセンブリに支持され、カテーテル検査台から延びた患者の腕の斜視図を示し、どのようにして患者の腕が、カテーテル検査台の動きに対応して固定橈骨アクセス台に対して移動できるかをさらに例示している。
【図３Ｂ】支持アセンブリに支持され、カテーテル検査台から延びた患者の腕の斜視図を示し、どのようにして患者の腕が、カテーテル検査台の動きに対応して固定橈骨アクセス台に対して移動できるかをさらに例示している。
【図４】どのようにしてイメージングシステム、例えば、透視装置を橈骨アクセス台に対して配置できるかの例示的な図を示している。
【図５】どのようにして橈骨アクセス台の接合部分をその台の残りの部分に対して構成を変更できるかの斜視図を示している。
【図６】接合部分及び橈骨台が後方台に対して畳むために構成を変更可能である別のバリエーションの斜視図を示している。
【図７】後方台の下に十分なクリアランスを画定する台の脚によって支持されたこの台を例示する別のバリエーションの斜視図を示している。
【図８】どのようにして接合部分を橈骨台部分に固定できるかの一例の斜視図を示している。
【図９】どのようにして橈骨台及び接合部分を後方台に再構成可能に固定できるかの一例の斜視図を示している。
【図１０】どのようにして橈骨台及び接合部分を後方台に再構成可能に固定できるかを例示する別の例の斜視図を示している。
【図１１】支持アセンブリの別のバリエーションの斜視図を示している。
【図１２Ａ】支持アセンブリを回動可能に固定するための支持アームのバリエーションの側面図を示している。
【図１２Ｂ】支持アセンブリを回動可能に固定するための支持アームのバリエーションの端面図を示している。
【図１３Ａ】支持アセンブリの別のバリエーションの斜視図を示している。
【図１３Ｂ】支持アセンブリの別のバリエーションの組立図を示している。
【図１４】橈骨アクセス台に配置された図１３Ａの支持アセンブリの斜視図を示している。
【図１５Ａ】カテーテル検査台に固定することができる橈骨アクセス台のなお別のバリエーションの側面図を示している。
【図１５Ｂ】カテーテル検査台に固定することができる橈骨アクセス台のなお別のバリエーションの斜視図を示している。
【図１５Ｃ】支持脚を橈骨台に旋回可能又は折り畳み可能に接続することができる別のバリエーションの斜視図を示している。
【図１５Ｄ】どのようにして図１５Ａの台をカテーテル検査台に固定できるかの一例を例示する斜視図を示している。
【図１６Ａ】後方台に留める又は固定することができる橈骨アクセス台のなお別のバリエーションの斜視図を示している。
【図１６Ｂ】後方台に留める又は固定することができる橈骨アクセス台のなお別のバリエーションの斜視図を示している。
【図１６Ｃ】後方台に固定された図１６Ａの台の斜視図を示している。
【図１６Ｄ】後方台に固定され、カテーテル検査台に近接して配置された図１６Ａの台の斜視図を示している。
【図１７】任意選択のドレープ又はシールドを含む橈骨アクセス台の斜視図を示している。
【図１８】橈骨アクセス台及びこの台と共に使用するために専用に構成することができる任意選択の補助具の組立図を示している。
【発明を実施するための形態】
【００２１】
例えば、介入処置での橈骨血管へのアクセスでは、様々な器具、例えば、カテーテル、ガイドワイヤ、血管内バルーン、ステント足場などの安定した挿入経路を形成するために、患者の肢が、典型的には体から離れる方向に伸ばされて固定される。患者の肢、例えば、腕は、通常は、手首が伸びて橈骨静脈が露出するように配置される。
【００２２】
橈骨台アセンブリ１０の一例が図１の斜視図に例示されている。図１は、１つ以上の脚によって支持された後方台１２、この後方台１２から延びた橈骨台部分１４、及びこの橈骨台部分１４から、例えば、片持ち式にさらに延びた接合部分１６を通常は含む台アセンブリ１０を示している。接合部分１６は、傾斜縁１８を画定することができ、この傾斜縁１８により、台アセンブリ１０を、カテーテル検査台４０に極めて近接して又は隣接して所定の角度で相対的に配置して、患者の肢ＬＭ（例えば、腕）を、台４０に乗せられた患者の体ＰＴから伸ばすことができる支持台を得ることができる。この台アセンブリ１０により、外科医及び開業医が、橈骨動脈を介して処置、例えば、血管造影、経皮的介入などを容易にする楽なやり方で行うことができる。
【００２３】
後方台１２は、手術台又は支持台を含むことができ、橈骨台部分１４は、任意選択でヒンジ結合される接合部又はピボット接合部２０に沿って後方台１２の遠位縁に取り付けることができ、例えば、３０．４８〜１２１．９２ｃｍ（１２〜４８インチ）以上の幅、及び、例えば、最大５０．８ｃｍ（２０インチ）以上の長さを有する。接合部分１６は、同様に、任意選択でヒンジ結合される接合部又はピボット接合部２２に沿って橈骨台部分１４の遠位端部に固定することができ、橈骨台部分１４と同様の幅を有することができる。接合部分１６は、一定距離延びて、その傾斜縁１８の遠位端部で終端することができ、この傾斜縁１８は、台アセンブリ１０の長さ方向に対して、例えば、１０度〜９０度（又は特に４５〜５５度）の任意の範囲の角度を有することができる。後方台１２及び橈骨台部分１４はそれぞれ、放射線不透過性である様々な材料、例えば、ステンレス鋼から構成することができ、接合部分１６は、任意選択で抗菌性である又は殺菌することができる放射線透過性材料、例えば、様々なポリカーボネート材料、例えば、Ｌｅｘａｎ（登録商標）（ＳＡＢＩＣ  Ｉｎｎｏｖａｔｉｖｅ  Ｐｌａｓｔｉｃｓ）、超高分子量ポリエチレン（ＵＨＭＷ）などから構成することができる。接合部分１６を放射線透過性材料から構成することにより、イメージング装置、例えば、透視装置（又はその他の適切なイメージング装置）が、必要に応じて患者の肢ＬＭの近位上部を透過して画像化することができる。
【００２４】
クレードルアセンブリ２４は、接続接合部３４、３６、３８のいずれか１つの中に入れて、橈骨台アセンブリ１０に回動可能に固定することができ、これらの接続接合部３４、３６、３８は、例えば、図示されているように橈骨台部分１４の近位縁に沿って整合させることができる。クレードルアセンブリ２４は、任意選択で、カテーテル検査台４０に沿った患者の体ＰＴの位置によって決まる接続接合部３４、３６、３８のいずれか１つの中に配置することができる。クレードルアセンブリ２４自体は、通常は、例えば、最大２５．４ｃｍ（１０インチ）以上の長さ及び、例えば、１５．２４ｃｍ（６インチ）以上の幅を有するクレードル部材２６を含むことができ、このクレードル部材２６は、患者の手首、前腕、及び手ＨＮを楽に受容する凹部を画定するように構成されている。任意選択の近位クレードル部材２８は、必要に応じて又は所望に応じて、患者の上腕を支持するために延長アーム３０によってクレードル部材２６から調整可能に伸ばすことができる。クレードル部材２６及び任意選択の近位クレードル部材２８はそれぞれ、同様に所望に応じて患者の前腕及び手の画像化をさらに可能にするために、放射線不透過性材料（例えば、ステンレス鋼）又は放射線透過性材料（例えば、ポリカーボネート）のいずれかから形成することができる。
【００２５】
クレードルアセンブリ２４は、２つの回動点又は関節点を画定することができ、この２つの回動点又は関節点により、クレードルアセンブリ２４を接続接合部３４に連結する支持アーム３２に対するクレードル部材２６の回動が可能にとなり、かつ接続接合部３４及び橈骨台１４に対する支持部材３２の回動も可能となる。患者の体ＰＴがカテーテル検査台４０に乗せられた状態で、肢ＬＭ及び特に手及び手首を伸ばしてクレードル部材２６に固定することができ、任意選択で患者の指をクレードル部材２６の遠位端部に固定して手首を伸ばす。肢ＬＭを固定して、任意選択でもたれた状態では、様々な経皮アクセス又は外科処置によって橈骨動脈に容易にアクセスすることができる。様々な器具又は介入具を、橈骨台部分１４及び／又は後方台１２に乗せる又は広げることができ、その状態で、外科医及び／又は開業医が、カテーテル検査台４０（又は手術台）と橈骨台アセンブリ１０との間に入ることができる。
【００２６】
しかしながら、患者の体ＰＴ及び検査台４０の上及び下に配置されたイメージング装置に対してこの患者の体ＰＴの位置を変更する必要がある場合は、肢ＬＭをクレードル部材２６に固定したまま、検査台４０をその長さ又は幅のいずれかに沿って移動させることができる。従って、患者の体ＰＴがイメージング装置に対して及び橈骨台アセンブリ１０に対して移動するときに、外科医又は開業医の邪魔にならずに、クレードル部材２６（及びこのクレードル部材２６に乗せられた手及び手首）の支持アーム３２に対する回動及び支持アーム３２の橈骨台部分１４に対する回動によって、患者の肢ＬＭも、患者の体ＰＴの位置の変更に対応するように位置が変更され得る。クレードル部材２６及び支持アーム３２の橈骨台に対するこれらの２つの回動点により、全３６０度の運動が可能となり得る。あるいは、クレードル部材２６及び支持アーム３２の一方又は両方の橈骨台部分１４に対する回動は、所望に応じて、指定の範囲内の回動に限定しても良い。いずれの場合も、患者の体ＰＴがイメージング装置及び／又は橈骨台アセンブリ１０に対してどのように移動しても、患者の肢ＬＭの向きが、患者の体ＰＴに対して自動的に維持され得るため、患者の肢ＬＭから延びて後方台１２に乗せられたどの器具又は道具も、患者の体ＰＴの動きに対応するように動かすのではなく放置することができる。
【００２７】
図２Ａ及び図２Ｂは、クレードルアセンブリの別のバリエーションの相対運動を例示するこのバリエーションの詳細な斜視図（見やすくするために患者の肢ＰＴは不図示）である。このバリエーションでは、クレードル部材２６は、支持アーム５２に対して垂直に延びた挿入ロッドを有する支持アーム５２（以下に詳述される）を介して橈骨台部分１４に連結することができる。支持アーム５２の挿入ロッドを受容するための受容開口５４を画定する受容支持体５０は、接続接合部３４内に固定することができる。この例では１つの接続接合部３４が示されているが、任意選択で、様々な向きに対応するために橈骨台部分１４に沿った様々な位置に様々な追加の接続接合部を配置することができる。第２の受容支持体５６がクレードル部材２６から延びて、第２の受容支持体５６は、支持アーム５２から延びた第２の垂直挿入ロッドを受容するための第２の受容開口５８を画定することができる。
【００２８】
橈骨台アセンブリの中心線６０が例示目的で示され、クレードルアセンブリの中心線６２も例示目的で示されている。図２Ａは、クレードルアセンブリの中心線６２が、橈骨台アセンブリの中心線６０に対して最初はどのように向いていたかを示している。検査台４０及び患者の体ＰＴが、固定イメージング装置及び固定橈骨台アセンブリ１０に対して位置が変更されるときに、患者の腕が、クレードル部材２６をそのクレードル回転軸６４及びクレードル部材回転軸６６を中心に相応に回動させることができる。図２Ｂに示されている変更された位置であっても、クレードルアセンブリの中心線６２の向きは、橈骨台アセンブリの中心線６０に対してなお維持されている。
【００２９】
別の例が図３Ａ及び図３Ｂの斜視図に示されている。図３Ａ及び図３Ｂは、検査台４０に接触して又は近接して配置された橈骨アクセス台アセンブリ１０を例示している。検査台４０から延びた患者の肢ＬＭの一例が、最初はクレードル部材２６に固定されていることが分かるであろう。検査台４０が、例えば、運動方向６８及び６８’に移動するときに、クレードル部材２６が、そのクレードル回転軸６４及びそのクレードル部材回転軸６６を中心に相応に回動することができ、これにより、クレードル部材２６は、橈骨台部分１４に対して向き位置が変更されるが、肢ＬＭの向きは、このクレードル部材の維持された向きによって患者の体ＰＴに対して維持される。
【００３０】
橈骨台アセンブリ１０は、様々なイメージング装置を用いて利用することができるため、このアセンブリ１０は、図４の斜視図に示されているイメージングシステム７０、例えば、透視装置を対応するように設計することができる。このようなシステム７０は、典型的にはＣアーム７２を利用し、このＣアーム７２は、その両端部に互いに相対して配置された検出器７４及びＸ線放射装置７６を有する。イメージングシステム７０は、通常は、検査台４０及び橈骨台アセンブリ１０に対して固定されているが、Ｃアーム７２は、様々な角度で、下に位置する患者の体の画像を得るために回動調整可能とすることができる。イメージングシステム７０のこのような動きに対応するために、橈骨台アセンブリ１０は、橈骨台部分１４及び接合部分１６を有するように構成することができ、この橈骨台部分１４及び接合部分１６は、後方台１２から一定距離、例えば、３０．４８ｃｍ（１フィート）から数百ｃｍ（数フィート）（又は特に１５２．４〜１８２．８８ｃｍ（５〜６フィート））の任意の距離、片持ち式に延びて、放射装置７６（又はその他の器具）がこのアセンブリ１０の下に配置されるときにこの台の下に十分なクリアランス距離７８が画定される。この片持ち機構は、本明細書に図示又は記載される台アセンブリの様々な実施形態のいずれにも採用することができる。橈骨台アセンブリに対する寸法及び大きさは、例示的な例として示され、所望に応じて様々な患者に適合させるために変更又はカスタマイズすることができる。
【００３１】
台アセンブリ１０の別の特徴が、図５の斜視図に示されている。図５は、構成を変更可能な接合部分１６を例示している。接合部分は傾斜縁１８を画定しているため、接合部分１６は、橈骨台部分１４に調整可能に取り付けることができる。接合部分１６は、橈骨台部分１４から完全に取り外すことができるが、図示されているバリエーションは、橈骨台部分１４に回動可能に連結することができる接合部分１６を例示している。接合部分１６は、回動点８０を介して橈骨台部分に連結することができ、この回動点８０により、傾斜縁１８の構成を変更して反対方向にし、橈骨台アセンブリ１０を検査台４０の反対側、例えば、検査台４０の左側から右側に配置できるようになり、患者のどちらの腕からのアクセスも容易になる。１つ以上の嵌め合い要素（ｍａｔｉｎｇ  ｆｅａｔｕｒｅ）８２、８４を接合部２２に沿って延出させてこの接合部２２を固定し、使用中の接合部分１６の橈骨台部分１４に対する自由回転を防止することができる。
【００３２】
なお別の特徴が、図６の斜視図に示されている。図６は、橈骨台部分１４を、後方台１２に対してその接合部２０に沿ってどのようにして折り畳めるかを示している。橈骨台部分１４の後方台１２に対する固定を解除することにより、この台部分１４及び接続接合部１６の両方を、保管するため又は後方台１２のみが処置に利用される場合に接合部２０に沿った１つ以上のピボット又はヒンジによって折り畳むことができる。使用する際は、１つ以上の橈骨台嵌め合い要素８６、８８を接合部２０に沿って延出させて、この接合部２０を橈骨台部分１４と後方台１２との間に固定することができる。
【００３３】
図５に示されている回動可能な接合部分１６及びピボット橈骨台部分１４の両方を一緒に又は別々に、本明細書に記載の任意の実施形態に実施可能な任意の組み合わせで含めることができることを意図する。例えば、図３Ａ〜図３Ｂ及び図４〜図６に示され、説明されている各特徴を、所望に応じて橈骨台アセンブリの１つの実施形態にまとめることができる。
【００３４】
図７は、橈骨台アセンブリのなお別のバリエーションの斜視図を示している。この例では、後方台１２は、その遠位端部から垂直に延出した１つの台支持体９０を利用することができる。遠位端部での台支持体９０の位置調整により、橈骨台部分１４及び接合部分１６の下並びに後方台１２の下にも十分なクリアランス空間９２を画定することができる。
【００３５】
図８は、接合部分１６と橈骨台部分１４との間にある、上記の図５に示されている回動のピボット点を実施するための１つのバリエーションの斜視図を示している。支持部材１００は、橈骨台部分に沿って画定された受容カラー１０２内への回動可能な挿入のために接合部分１６から剛性に延ばすことができる。支持部材１００の遠位部分は、カラー１０２との間に付勢部材１０４、例えば、ばねを固定できるようにこのカラー１０２を超えて延出することができる。付勢部材１０４は、接合部分１６を橈骨台部分１４に対して維持するが、支持部材１００及び接合部分１６のカラー１０２を中心とした回動をなお許容する付勢力を加えることができる。
【００３６】
接合部分１６の回動に加えて、図９は、上記の図６に示されている橈骨台部分１４と後方台１２との間にあるピボット接合部を実施するための１つのバリエーションの斜視図を示している。このバリエーションでは、ロックブラケット１０６を、橈骨台部分１４と後方台１２との間に固定することができる。このようなブラケット１０６は、橈骨台部分１４の片持ち位置及び折り畳まれた位置への位置変更を選択的に行えるようにヒンジ結合することができる。図１０は、橈骨台部分１４と後方台１２との間のピボット接合部を実施するための別のバリエーションを示している。このバリエーションでは、１つ以上のスライドボルト１０８、１０８’を、橈骨台部分１４又は後方台１２のいずれかに沿って画定された対応する受容溝１１０、１１０’内に固定するために後方台１２に対して延出させる又は引き戻すことができる。１つ以上のスライドボルト１０８、１０８’が引き戻されると、橈骨台部分１４を下げることができる、１つ以上のスライドボルト１０８、１０８’が延出すると、橈骨台部分１４をその片持ち構造に固定することができる。
【００３７】
ここでクレードルアセンブリに戻ると、図１１は、１つ以上の任意選択のロックつまみ１２０、１２２を有するクレードルアセンブリの別のバリエーションの斜視図を示している。このようなロックつまみ１２２は、必要に応じて、クレードル部材２６の自由回動もしくは抵抗のある回動、又はクレードル部材２６の完全なロックを行うことができる。ロックつまみ１２０はまた、近位クレードル部材２８の位置を調整する際に延長アーム３０の選択的なロックを行うことができる。このバリエーションにはまた、湾曲支持アーム１２４も示されており、この湾曲支持アーム１２４は、橈骨台部分内に画定された接続接合部とクレードル部材２６との間に回動可能に延在させることができる。支持アーム１２４は、下側の橈骨台部分１４からのクレードル部材２６の高さを変更するために、曲げたり伸ばしたりすることができる弓状アームとすることができる。
【００３８】
支持アームのなお別のバリエーションにおいて、図１２Ａ及び図１２Ｂはそれぞれ、長方形の断面積及び長さ、例えば、約１５．２４〜１７．７８ｃｍ（６〜７インチ）の長さを有する支持アーム５２の側面図及び端面図を示している。挿入ロッド１３０は、支持アーム５２から垂直に延ばすことができ、かつクレードルアセンブリ２４の受容支持体５６内に回動可能に挿入することができる。同様に、挿入ロッド１３２は、挿入ロッド１３０とは反対の方向に支持アーム５２から垂直に延ばすことができ、かつ接続接合部３４の中に、又は橈骨台１４内に画定された他の接続接合部のいずれか１つの中に回動可能に挿入することができる。接合カラー１３４を、受容支持体５０に接触するように、支持アームに隣接した挿入ロッド１３２の周りに画定することもできる。１つ以上の接触突出部１３６を接合カラー１３４から突出させて、特に患者の肢ＬＭの重量が支持アーム５２に支持される場合に、支持アーム５２の接続接合部３４に対する回動を容易にすることもできる。
【００３９】
図１３Ａ及び図１３Ｂはそれぞれ、クレードルアセンブリのなお別のバリエーションの斜視図及び組立図を示している。このバリエーションでは、クレードル部材２６及び支持アーム５２を、橈骨台部分１４とは別個のベース１４０に回動可能に連結することができる。図示されているベース１４０は、構造的完全性を得るために１つ以上のガセット１４４を有することができ、挿入ロッド通路１４２、及びこの挿入ロッド通路１４２から延びた任意選択の固定機構１４６をさらに画定することができる。このバリエーションでは、クレードル部材２６及びベース１４０は、橈骨台又は別の支持台に配置することができる。図１４は、台支持体１５２によって支持された後方台１２に配置されたクレードル部材２６及びベース１４０を有する橈骨台アセンブリの斜視図を示している。接合部分１５０は、このバリエーションでは放射線透過性であり、後方台１２よりも厚く形成されているが、接合部分１５０の厚さは適宜薄くすることができる。
【００４０】
ここで台アセンブリに戻ると、図１５Ａ及び図１５Ｂはそれぞれ、他のバリエーションに類似した橈骨台部分１６２及び接合部分１６４から通常は構成される橈骨台アセンブリ１６０のなお別のバリエーションの側面図及び斜視図を示している。しかしながら、このバリエーションは、傾斜縁に沿って整合された１つ以上の固定機構１６６（例えば、クランプなど）を介してカテーテル検査台４０に直接的に固定する又は留めるように構成することができる。橈骨台部分１６２の遠位端部は、任意選択の折り畳み又はピボット機構１７０を介して台に連結することができる支持体１６８によって支持することができ、この折り畳み又はピボット機構１７０により、支持体１６８を台部分１６２に対して旋回させて、図１５Ｃの斜視図に示されている固定機構１７２、例えば、クランプによって固定することができる。図１５Ｄは、接合部分１６４を、どのように固定機構１６６によって検査台４０の側面に沿って取り付けて一定の角度で延在させることができるか例示する斜視図を示している。患者ＰＴは、必要に応じて橈骨にアクセスできるように自身の腕を接合部分１６４に沿って伸ばすことができる。また、検査台４０を移動させて患者のイメージング装置に対する位置を変更するときに、橈骨台アセンブリ１６０がこの台４０と共に移動することができる。このバリエーションでもなお、クレードルアセンブリを、既に記載されたように使用するために橈骨台部分１６２に配置することができる。
【００４１】
図１６Ａ及び図１６Ｂは、別個の後方台に固定することができる別の台アセンブリのバリエーションの斜視図を示している。図示されている橈骨台アセンブリ１８０は、通常は、接合部分１５０及び後方台に固定するための固定機構１９２、１９４並びに支持アーム１８４、１８６を有する橈骨台１８２を含むことができ、この支持アーム１８４、１８６は、対応するクランプ機構１８８、１９０を介した後方台の脚又は支持体へのさらなる固定のために、例えば、一定の角度で橈骨台１８２から延ばすことができる。図１６Ｃは、どのように橈骨台１８２を固定機構１９２、１９４を介して別個の後方台１９８に留めることができるかを例示している。支持アーム１８４、１８６は、後方台１９８の台の脚１９６への取り付けのために橈骨台１８２から延びていることが分かるであろう。使用の際は、図１６Ｄの斜視図に示されているように、後方台１９８に取り付けられた橈骨台アセンブリ１８０を、傾斜接合部分１５０を検査台４０に位置合わせして検査台４０に配置することができる。クレードルアセンブリは、本明細書に記載される要領で患者ＰＴに使用するために橈骨台１８２上に配置する、又は橈骨台１８２に回動可能に固定することができる。
【００４２】
台アセンブリに加えて、追加の特徴及び／又は補助具を組み合わせて使用することができる。一例が、図１７の斜視図に示されている。図１７は、橈骨台の縁２０４に沿って取り付けることができる１枚のカーテンもしくはシート又は多数の個々のシールドストリップ２０２から構成することができる放射線シールド２００を示している。この放射線シールド２００を、外科医又は開業医に近い台アセンブリの任意の縁に沿って取り付けて、典型的には患者の体を映像化するために使用されるイメージング装置によって放射され得る、例えば、Ｘ線からさらに保護することができる。
【００４３】
図１８は、橈骨台アセンブリと組み合わせて使用することもできる追加の特徴及び／又は補助具の組立図を示している。例えば、クレードル部材２６に沿って使用されるように構成及び形成された１つ以上のクッション支持体２１０を橈骨台アセンブリに設けても良いし、又は別個としても良い。加えて、台アセンブリもしくは様々な器具と共に使用されるように構成された外科ドレープ２１２、又は後方台１２もしくは橈骨台１４に配置可能なディスプレイ２１４を、所望に応じて設けることもできる。これらの補助具の全て又はいずれか１つを、橈骨台アセンブリと共にキットに含めて提供しても良いし、又は別個に提供しても良い。
【００４４】
さらに、本明細書に記載される個々の特徴のいずれも、実施可能なその他の特徴との様々な組み合わせで利用できることをさらに意図するものである。
【００４５】
上述のデバイス及び方法の適用は、腕の支持に限定されるものではなく、様々なさらなる適用を含み得る。さらに、このようなデバイス及び方法は、体の他の部分にも適用することができる。本発明を実施するための上記のアセンブリ及び方法の変更、実施可能な様々なバリエーションの組み合わせ、並びに当業者に明らかな本発明の態様のバリエーションは、特許請求の範囲内であるものとする。
【国際調査報告】
2016509519.tif 000031